(57)【要約】【課題】ガラス板を配した断熱扉の結露を防止できる冷蔵庫を提供することを目的とする。【解決手段】貯蔵室を開閉する断熱扉２ａを備えた冷蔵庫において、断熱扉２ａが、前面に配されるガラス板２０と、背面に配される樹脂成型品の内面板２１と、ガラス板２０と内面板２１との間に充填される発泡断熱材２５と、ガラス板２０と発泡断熱材２５との間に配される金属板２６とを有する。【選択図】図５
2013061134.tif 000002
【特許請求の範囲】
【請求項１】
貯蔵室を開閉する断熱扉を備えた冷蔵庫において、
前記断熱扉が、前面に配されるガラス板と、背面に配される樹脂成型品の内面板と、前記ガラス板と前記内面板との間に充填される発泡断熱材と、前記ガラス板と前記発泡断熱材との間に配される金属板とを有することを特徴とする冷蔵庫。
【請求項２】
前記内面板が前記貯蔵室内に突出するドアライナーを左右の端部に有し、前記左右のドアライナーの間に対向して前記金属板を配置したことを特徴とする請求項１に記載の冷蔵庫。
【請求項３】
前記断熱扉の対向する二辺に跨って前記金属板を配置したことを特徴とする請求項１または請求項２に記載の冷蔵庫。
【請求項４】
前記金属板が磁性体から成ることを特徴とする請求項１から請求項３のいずれかに記載の冷蔵庫。
【発明の詳細な説明】
【技術分野】
【０００１】
本発明は、貯蔵室を断熱扉により開閉する冷蔵庫に関する。
【背景技術】
【０００２】
従来の冷蔵庫は特許文献１に開示されている。従来の冷蔵庫は貯蔵室の背後に蒸発器を備え、蒸発器と熱交換して生成される冷気によって貯蔵室が冷却される。貯蔵室の前面開口部は断熱扉により開閉される。
【０００３】
断熱扉は前面に配されるガラス板と背面に配される樹脂成型品の内面板とを有する。ガラス板と内面板との間には発泡断熱材が充填される。ガラス板を断熱扉の前面に配することにより光沢感及び高級感のある冷蔵庫となり、意匠性を向上させることができる。また、鋼板と比較して前面（外面）が滑らかであるので、清掃性を向上させることができる。
【先行技術文献】
【特許文献】
【０００４】
【特許文献１】特開２０１０−６０１９０号公報（第３頁、第４頁、図１、図３）
【発明の概要】
【発明が解決しようとする課題】
【０００５】
しかしながら、上記従来の冷蔵庫によると、断熱扉は冷気流の衝突により内面板が局部的に低温となり、この冷熱が内面板からガラス板に伝えられる。この時、ガラス板は鋼板に比して熱伝導率が低いため、周囲からの伝熱による冷熱が伝達された領域の昇温を十分行うことができず、該領域に結露が発生する問題があった。これにより、断熱扉が結露水によって汚れが付着しやすくなるため冷蔵庫の美観が低下するとともに結露水の滴下によって床面を汚す場合がある。
【０００６】
本発明は、ガラス板を配した断熱扉の結露を防止できる冷蔵庫を提供することを目的とする。
【課題を解決するための手段】
【０００７】
上記目的を達成するために本発明は、貯蔵室を開閉する断熱扉を備えた冷蔵庫において、前記断熱扉が、前面に配されるガラス板と、背面に配される樹脂成型品の内面板と、前記ガラス板と前記内面板との間に充填される発泡断熱材と、前記ガラス板と前記発泡断熱材との間に配される金属板とを有することを特徴としている。
【０００８】
この構成によると、内面板は冷気に接するとともにガラス板の前面は冷気よりも高温の外気に接する。冷気流の衝突により内面板が局部的に低温となり、ガラス板上の冷熱が伝えられた領域はガラス板に接する金属板によって周囲から伝熱して降温が抑制される。
【０００９】
また本発明は、上記構成の冷蔵庫において、前記内面板が前記貯蔵室内に突出するドアライナーを左右の端部に有し、前記左右のドアライナーの間に対向して前記金属板を配置すると好ましい。
【００１０】
また本発明は、上記構成の冷蔵庫において、前記断熱扉の対向する二辺に跨って前記金属板を配置すると好ましい。
【００１１】
また本発明は、上記構成の冷蔵庫において、前記金属板が磁性体から成ることが好ましい。
【発明の効果】
【００１２】
本発明によると、断熱扉が、前面に配されるガラス板と、背面に配される樹脂成型品の内面板と、ガラス板と内面板との間に充填される発泡断熱材と、ガラス板と発泡断熱材との間に配される金属板とを有するので、ガラス板の結露を防止することができる。
【図面の簡単な説明】
【００１３】
【図１】本発明の第１実施形態の冷蔵庫を示す正面図
【図２】本発明の第１実施形態の冷蔵庫を示す右側面断面図
【図３】本発明の第１実施形態の冷蔵庫の断熱扉を示す正面図
【図４】図３のＡ−Ａ線に沿った断面図
【図５】図３のＢ−Ｂ線に沿った断面図
【図６】図４のＶ部を拡大した拡大図
【図７】図５のＷ部を拡大した拡大図
【図８】本発明の第２実施形態の冷蔵庫の断熱扉を示す正面図
【図９】図８のＣ−Ｃ線に沿った断面図
【図１０】図８のＤ−Ｄ線に沿った断面図
【図１１】図９のＸ部を拡大した拡大図
【図１２】図１０のＹ部を拡大した拡大図
【発明を実施するための形態】
【００１４】
以下に本発明の実施形態を図面を参照して説明する。図１、図２は第１実施形態の冷蔵庫の正面図及び右側面断面図を示している。冷蔵庫１は上部に冷蔵室２が配され、冷蔵室２の下方には製氷室４及び第１冷凍室３が左右に並設される。製氷室４及び第１冷凍室３の下方には第２冷凍室５が配され、第２冷凍室５の下方に野菜室６が配されている。冷蔵室２、第１冷凍室３、製氷室４、第２冷凍室５、及び野菜室６はそれぞれ貯蔵室を構成する。
【００１５】
冷蔵室２は発泡断熱材２５（図４参照）を充填した断熱扉２ａ、２ｂにより開閉され、貯蔵物を冷蔵保存する。断熱扉２ａ、２ｂはそれぞれ右端及び左端を支点に回動する。これにより、冷蔵室２の中程を境に両側に開くことができる。
【００１６】
第１冷凍室３、製氷室４及び第２冷凍室５は連通して氷点以下に維持される。第１冷凍室３及び第２冷凍室５は収納ケース（不図示）と一体の引き出し式の断熱扉３ａ、５ａにより開閉され、貯蔵物を冷凍保存する。第２冷凍室５の容積は第１冷凍室３よりも大きく、貯蔵物をより多く冷凍保存できる。製氷室４は回動式の断熱扉４ａにより開閉され、氷を製氷して貯氷する。野菜室６は収納ケース（不図示）と一体の引き出し式の断熱扉６ａにより開閉され、冷蔵室２よりも高い室内温度（約８℃）で野菜を冷却保存する。
【００１７】
第２冷凍室５の背後には背面板５ｂで仕切られた冷気通路３１が設けられる。冷気通路３１は冷蔵室２の背後に配された冷気通路３２に冷蔵室ダンパ（不図示）を介して連通する。冷気通路３１内には圧縮機１０に接続された蒸発器１３が配される。蒸発器１３の上方には冷凍室送風機１２が配される。
【００１８】
野菜室６の背後には機械室９が設けられ、機械室９内に冷凍サイクルを運転する圧縮機１０が配される。冷凍サイクルは圧縮機１０、凝縮器(不図示)、キャピラリーチューブ（不図示）、蒸発器１３、圧縮機１０の順に接続して構成される。冷凍サイクルの運転によって冷媒が循環して蒸発器１３が冷却される。そして、冷気通路３１を流通する空気と蒸発器１３とが熱交換して冷気が生成される。蒸発器１３で生成された冷気は冷凍室送風機１２の駆動により送出される。
【００１９】
蒸発器１３の下方には除霜ヒータ１１が配される。除霜ヒータ１１の駆動によって蒸発器１３が除霜される。除霜によって生じた除霜水は機械室９内に配された蒸発皿（不図示）に回収される。
【００２０】
図３は断熱扉２ａの正面図を示している。図４、図５は図３のＡ−Ａ断面図及びＢ−Ｂ断面図を示している。図６、図７は図４のＶ部及び図５のＷ部を拡大した拡大図を示している。断熱扉２ａの前面にはガラス板２０が配される。ガラス板２０により断熱扉２ａの前面が覆われる。ガラス板２０は厚さ３．２ｍｍのソーダライム系ガラスに熱強化処理を施して形成される。
【００２１】
ガラス板２０の背面には印刷塗料層（不図示）が設けられる。印刷塗料層によってガラス板２０を不透明化するとともに所定の印字が施される。印刷塗料層の背面には保護フィルム（不図示）が貼着されている。保護フィルムはガラス板２０が割れた場合にガラス片の飛散を防止するとともに印刷塗料層の剥離を防止する。保護フィルムは塩化ビニル製のシートから形成される。
【００２２】
断熱扉２ａの背面には樹脂成型品の内面板２１が配される。内面板２１により断熱扉２ａの背面が覆われる。内面板２１の左右端部には冷蔵室２内に突出するドアライナー２３ａ、２３ｂが形成される。ドアライナー２３ａ、２３ｂによってドアポケット（不図示）が支持される。
【００２３】
また、内面板２１の上下端部には冷蔵室２内に突出する凸部２８ａ、２８ｂが形成される。凸部２８ａ、２８ｂの前後方向の長さはドアライナー２３ａ、２３ｂよりも短くなっている。凸部２８ａ、２８ｂはドアライナー２３ａ、２３ｂと連続して形成される。凸部２８ａ、２８ｂ及びドアライナー２３ａ、２３ｂによって内面板２１の歪みが防止される。
【００２４】
内面板２１の周部には環状のパッキン（不図示）が設けられる。パッキンは可撓性の樹脂等から成り、内面板２１に設けた係合孔２７に突起部（不図示）が係合して取り付けられる。パッキンにはマグネット（不図示）が内装され、マグネットによりパッキンが冷蔵室２の周囲に密着して冷蔵室２内が密閉される。なお、パッキンを設けずに弾性を有する内面板２１が冷蔵室２の周囲に密着する断熱扉２ａであってもよい。
【００２５】
断熱扉２ａは樹脂成型品から成る枠部材２４を有する。枠部材２４は断熱扉２ａの周囲を覆ってガラス板２０の前面を係止する。枠部材２４は上辺部材２４ａ、右辺部材２４ｂ、下辺部材２４ｃ、及び左辺部材２４ｄから構成される。上辺部材２４ａの左右端部はそれぞれ左辺部材２４ｄ及び右辺部材２４ｂの上端部に嵌合し、下辺部材２４ｃの左右端部はそれぞれ左辺部材２４ｄ及び右辺部材２４ｂの下端部に嵌合している。これにより、断熱扉２ａの上辺、右辺、下辺、左辺が形成される。
【００２６】
上辺部材２４ａ、右辺部材２４ｂ、下辺部材２４ｃ、及び左辺部材２４ｄにはそれぞれ前端部から断熱扉２ａの前面中央部に向かって突出する係止部３４ａ、３４ｂ、３４ｃ、３４ｄが形成される。係止部３４ａ、３４ｂ、３４ｃ、３４ｄはガラス板２０の前面を係止する。これにより、ガラス板２０を断熱扉２ａの前面に確実に取り付けることができる。
【００２７】
また、上辺部材２４ａ、右辺部材２４ｂ、下辺部材２４ｃ、及び左辺部材２４ｄにはそれぞれ内側からガラス板２０の背面中央部に向かって突出する支持部４４ａ、４４ｂ、４４ｃ、４４ｄが形成される。支持部４４ａ、４４ｂ、４４ｃ、４４ｄはそれぞれ係止部３４ａ、３４ｂ、３４ｃ、３４ｄよりも後方に形成されている。支持部４４ａ、４４ｂ、４４ｃ、４４ｄは後述する金属板２６の背面を支持する。これにより、ガラス板２０及び金属板２６を断熱扉２ａに確実に取り付けることができる。
【００２８】
ガラス板２０に貼着した保護フィルムの背面には金属板２６が配される。ここで、発泡断熱材２５の充填について説明する。ガラス板２０及び金属板２６を枠部材２４に取り付けてガラス板２０の前面側を下方にして設置し、内面板２１を上方から被せる。内面板２１の略中央部に設けた注入口（不図示）から発泡ウレタン等の発泡断熱材２５の原液を注入する。発泡断熱材２５の原液は流動して下方から順に発泡成長する。これにより、ガラス板２０と内面板２１との間には発泡断熱材２５が充填される。また、ガラス板２０と発泡断熱材２５との間に金属板２６が配される。
【００２９】
金属板２６は例えば厚さ０．４５ｍｍの鉄板から形成される。これにより、ガラス板２０の前面にマグネットを付着させることができる。従って、使用者はマグネットを用いて断熱扉２ａの前面にメモ等を掲示することができ、利便性が向上する。マグネットとしてはネオジム磁石等の希土類磁石やフェライト磁石を用いることができる。
【００３０】
断熱扉２ａの前面から見て金属板２６はガラス板２０と略同じ大きさに形成され、ガラス板２０の背面側を覆う。そして、係止部３４ａ、３４ｂ、３４ｃ、３４ｄと支持部４４ａ、４４ｂ、４４ｃ、４４ｄとによってガラス板２０及び金属板２６が挟持される。すなわち、枠部材２４によってガラス板２０及び金属板２６が挟持される。これにより、断熱扉２ａが金属板２６によって補強される。従って、断熱扉２ａの強度を向上させることができる。
【００３１】
なお、金属板２６の背面は発泡断熱材２５によって支持されるので、支持部４４ａ、４４ｂ、４４ｃ、４４ｄを省いてもよい。また、ガラス板２０の全面を覆う金属板２６は断熱扉２ａの対向する二辺に跨って配置されるので、断熱扉２ａを補強することができる。なお、金属板２６は一方の対向する二辺に跨り、他方の対向する二辺と離れていてもよい。この場合には、断熱扉２ａの前面から見て金属板２６をガラス板２０よりも小さく形成することができる。
【００３２】
金属板２６はガラス板２０の全面を覆うため、発泡断熱材２５はガラス板２０に接着しない。これにより、発泡断熱材２５が収縮してもガラス板２０がそれに追随して歪むことを防止できる。
【００３３】
上記構成の冷蔵庫１において、蒸発器１３で生成された冷気は冷凍室送風機１２の駆動により冷気通路３１を流通して製氷室４、第１冷凍室３及び第２冷凍室５に送出される。該冷気は製氷室４、第１冷凍室３及び第２冷凍室５を流通し、戻り口（不図示）を介して蒸発器１３の下方に戻る。これにより、製氷室４、第１冷凍室３及び第２冷凍室５が冷却され、貯蔵物及び氷を冷凍保存する。
【００３４】
冷蔵室ダンパ（不図示）の開成により冷気通路３１を流通する冷気の一部は冷気通路３２に導かれ、冷気吐出口（不図示）を介して冷蔵室２に送出される。これにより、冷蔵室２が冷却され、貯蔵物を冷蔵保存する。また、冷蔵室ダンパの開閉や圧縮機１０のオンオフ制御により冷蔵室２へ流入する冷気量が調整される。これにより、冷蔵室２内の温度は例えば約１℃〜５℃に維持される。冷蔵室２を流通した冷気は連通路（不図示）を流通して野菜室６に流入し、野菜を冷却保存する。その後、戻り通路（不図示）を介して蒸発器１３の下方に戻る。
【００３５】
断熱扉２ａは冷気流の衝突により内面板２１が局部的に低温となり、この冷熱が内面板２１からガラス板２０に伝えられる。一方、ガラス板２０の前面は冷気よりも高温の外気に接する。この時、金属板２６はガラス板２０に比して熱伝導率が高いため、ガラス板２０上の冷熱が伝えられた領域はガラス板２０に接する金属板２６によって周囲から伝熱して降温が抑制される。従って、ガラス板２０の結露を防止することができる。その結果、結露水による断熱扉２ａへの汚れの付着を防止して冷蔵庫の美観を向上させることができる。また、結露水の滴下によって床面を汚すことを防止できる。
【００３６】
本実施形態によると、断熱扉２ａが、前面に配されるガラス板２０と、背面に配される樹脂成型品の内面板２１と、ガラス板２０と内面板２１との間に充填される発泡断熱材２５と、ガラス板２０と発泡断熱材２５との間に配される金属板２６とを有するので、ガラス板２０の前面の結露を防止することができる。
【００３７】
また、断熱扉２ａの対向する二辺に跨って金属板２６を配置しているので、断熱扉２ａの強度を向上させることができる。
【００３８】
また、金属板２６が鉄板（磁性体）から形成されるので、ガラス板２０の前面にマグネットを付着させることができる。従って、使用者はマグネットを用いて断熱扉２ａの前面にメモ等を掲示することができ、利便性が向上する。
【００３９】
次に、第２実施形態について説明する。本実施形態は断熱扉２ａの前面から見た金属板２６の大きさ及び配置箇所が第１実施形態と異なっている。その他の部分は第１実施形態と同様である。図８は断熱扉２ａの正面図を示している。図９、図１０は図８のＣ−Ｃ断面図及びＤ−Ｄ断面図を示している。図１１、図１２は図９のＸ部及び図１０のＹ部を拡大した拡大図を示している。説明の便宜上、第１実施形態と同様の部分には同一の符号を付している。
【００４０】
図８において、破線Ｍは金属板２６の外形を示している。金属板２６は断熱扉２ａの前面から見てガラス板２０よりも小さく形成されている。金属板２６は左右のドアライナー２３ａ、２３ｂの間に対向して配置されるとともに、上下の凸部２８ａ、２８ｂの間に対向して配置される。これにより、金属板２６の端部は枠部材２４から離れるため、金属板２６は接着テープ（不図示）等でガラス板２０の背面に貼着される。
【００４１】
左右のドアライナー２３ａ、２３ｂでは左右のドアライナー２３ａ、２３ｂの間よりも発泡断熱材２５の前後方向の厚さが大きくなっている。そのため、ガラス板２０のドアライナー２３ａ、２３ｂに対向する部分には冷気の冷熱は伝わりにくい。従って、ドアライナー２３ａ、２３ｂに対向する部分に金属板２６を配さずともガラス板２０前面の結露のおそれは少なく、大きな支障はない。
【００４２】
また、上下の凸部２８ａ、２８ｂでは上下の凸部２８ａ、２８ｂの間よりも発泡断熱材２５の前後方向の厚さが大きくなっている。そのため、ガラス板２０の上下の凸部２８ａ、２８ｂに対向する部分には冷気の冷熱は伝わりにくい。従って、凸部２８ａ、２８ｂに対向する部分に金属板２６を配さずともガラス板２０前面の結露のおそれは少なく、大きな支障はない。なお、上下の凸部２８ａ、２８ｂでは左右のドアライナー２３ａ、２３ｂよりも発泡断熱材２５の前後方向の厚さが小さくなっている。
【００４３】
本実施形態では、断熱扉２ａの前面から見て金属板２６の大きさがガラス板２０よりも小さいが、金属板２６を設けない場合に比してガラス板２０と発泡断熱材２５との接触面積が減少する。従って、発泡断熱材２５が収縮してもガラス板２０がそれに追随して歪むことを低減できる。
【００４４】
本実施形態でも第１実施形態と同様な効果を得ることができる。また、断熱扉２ａの前面から見て金属板２６の大きさを第１実施形態よりも小さくできるため、冷蔵庫１の製造コストを抑えることができるとともに断熱扉２ａの軽量化も図ることができる。
【００４５】
第１、第２実施形態において、冷蔵室２の断熱扉２ａを例として説明したが、他の断熱扉２ｂ、３ａ、４ａ、５ａ、６ａを断熱扉２ａと同様な構成にしてもよい。
【００４６】
金属板２６を他の磁性体、例えばマルテンサイト系のステンレス鋼により形成してもよい。また、金属板２６を非磁性のアルミニウム、オーステナイト系のステンレス鋼等により形成してもよい。
【産業上の利用可能性】
【００４７】
本発明によると、貯蔵室を断熱扉により開閉する冷蔵庫に利用することができる。
【符号の説明】
【００４８】
１    冷蔵庫
２    冷蔵室
２ａ、２ｂ、３ａ、４ａ、５ａ、６ａ    断熱扉
３    第１冷凍室
４    製氷室
５    第２冷凍室
６    野菜室
９    機械室
１０    圧縮機
１１    除霜ヒータ
１２    冷凍室送風機
１３    蒸発器
２０    ガラス板
２１    内面板
２３ａ、２３ｂ    ドアライナー
２４    枠部材   
２４ａ    上辺部材
２４ｂ    右辺部材
２４ｃ    下辺部材
２４ｄ    左辺部材
２５    発泡断熱材
２６    金属板
２８ａ、２８ｂ    凸部
３１、３２    冷気通路
３４ａ、３４ｂ、３４ｃ、３４ｄ    係止部
４４ａ、４４ｂ、４４ｃ、４４ｄ    支持部
【図１】
2013061134.tif 000003
【図２】
2013061134.tif 000004
【図３】
2013061134.tif 000005
【図４】
2013061134.tif 000006
【図５】
2013061134.tif 000007
【図６】
2013061134.tif 000008
【図７】
2013061134.tif 000009
【図８】
2013061134.tif 000010
【図９】
2013061134.tif 000011
【図１０】
2013061134.tif 000012
【図１１】
2013061134.tif 000013
【図１２】
2013061134.tif 000014